(57)【要約】【課題】フックボルトの上方への突出量を調節し得ることで、上端筋と下型枠との間隔に応じて、その長さを容易に調整する。【解決手段】上端筋４ｘ，４ｙにかけるために上部がフック状に折り曲げられ、下部に螺溝が形成されたフックボルト２１と、フックボルト２１の上方への突出量を調節自在に連結したターンバックル２２と、ターンバックル２２の貫通孔２２ｂに連結され、円筒部２３ａの上面から上方へ徐々に拡がるようにウェッジ片２３ｂが形成された、型枠板２の取付孔２ａに挿通させるアンカー部材２３と、アンカー部材２３の円筒部２３ａの下方から挿通し、アンカー部材２３の上端から突出した部分に設けた固定用ナット２７に螺合したアンカーボルト２４とから成る。【選択図】図１
2006348746.tif 000002
【特許請求の範囲】
【請求項１】
型枠板（２）に並列した埋込体（１０）を用いてコンクリートスラブを施工する際に、上端筋（４ｘ，４ｙ）の上方への移動を阻止し、該上端筋（４ｘ，４ｙ）より上側部分のコンクリート（Ｃ）のかぶり寸法を規制するコンクリートスラブ用フックアンカー（２０）であって、
前記上端筋（４ｘ，４ｙ）にかけるために上部がフック状に折り曲げられ、下部に螺溝が形成されたフックボルト（２１）と、
前記フックボルト（２１）を、その上方への突出量を調節自在に連結したターンバックル（２２）と、
前記ターンバックル（２２）の貫通孔（２２ｂ）に連結され、円筒部（２３ａ）の上面から上方へ徐々に拡がるようにウェッジ片（２３ｂ）が形成された、前記型枠板（２）の取付孔（２ａ）に挿通させるアンカー部材（２３）と、
前記アンカー部材（２３）の円筒部（２３ａ）の下方から挿通し、該アンカー部材（２３）の上端から突出した部分に設けた固定用ナット（２７）に螺合したアンカーボルト（２４）と、から成る、ことを特徴とするコンクリートスラブ用フックアンカー。
【請求項２】
前記ターンバックル（２２）は、前記フックボルト（２１）の下部が貫通する貫通孔（２２ａ）と、該貫通孔（２２ａ）の下側に上部ナット（２５）が回転不能に取り付けられ、該上部ナット（２５）の下部に貫通孔（２２ｂ）が設けられたものである、ことを特徴とする請求項１のコンクリートスラブ用フックアンカー。
【請求項３】
前記アンカー部材（２３）は、前記円筒部（２３ａ）のウェッジ片（２３ｂ）が容易に拡がるように可撓性を有する合成樹脂材料で成形した、ことを特徴とする請求項１のコンクリートスラブ用フックアンカー。
【請求項４】
前記アンカー部材（２３）の円筒部（２３ａ）に、ウェッジ片（２３ｂ）を２箇所成形した、ことを特徴とする請求項１又は３のコンクリートスラブ用フックアンカー。
【請求項５】
コンクリートスラブの底板にあたる型枠板（２）を敷き詰めた上に、下端筋（３ｘ，３ｙ）を縦横に配筋し、各下端筋（３ｘ，３ｙ）のほぼ上方に位置するように各上端筋（４ｘ，４ｙ）をそれぞれ配筋し、
次に、上部をフック状に形成したフックボルト（２１）と、下部に切り離し可能に連結したアンカー部材（２３）とから成るフックアンカー（２０）を、そのアンカー部材（２３）を前記型枠板（２）の取付孔（２ａ）に挿通して、該型枠板（２）に対して前記上端筋（４ｘ，４ｙ）の位置決めを行い、
前記型枠板（２）上に打設したコンクリート（Ｃ）が固化した後に、前記フックアンカー（２０）のアンカー部材（２３）を切り離すことにより、該型枠板（２）をコンクリートスラブの下面から剥がす、ことを特徴とするフックアンカーを用いたコンクリートスラブ施工方法。
【請求項６】
前記フックアンカー（２０）のアンカー部材（２３）を型枠板（２）の取付孔（２ａ）に挿通させると同時に、前記フックボルト（２１）のフック状の上端部を一方の上端筋（４ｘ，４ｙ）にかける、ことを特徴とする請求項５のフックアンカーを用いたコンクリートスラブ施工方法。
【請求項７】
前記フックアンカー（２０）のフックボルト（２１）のフック状の上端部を、前記上端筋（４ｘ，４ｙ）に軽く触れる程度にかける、ことを特徴とする請求項５のフックアンカーを用いたコンクリートスラブ施工方法。
【請求項８】
前記フックアンカー（２０）のフックボルト（２１）のフック状の上端部を、前記上端筋（４ｘ，４ｙ）にやや離間した状態でかける、ことを特徴とする請求項５のフックアンカーを用いたコンクリートスラブ施工方法。
【発明の詳細な説明】
【技術分野】
【０００１】
本発明は、型枠板に並列した埋込体を用いてコンクリートスラブを施工する際に、上端筋の上方への移動を阻止し、この上端筋より上側部分のコンクリートのかぶり寸法を規制するフックアンカー及びこれを用いたコンクリートスラブ施工方法に関するものである。
【背景技術】
【０００２】
従来から軽量材からなる埋込体をコンクリート内に埋設するコンクリート中空スラブ工法が知られている。これは、コンクリートスラブの底板にあたる型枠板の上面であって縦横に配筋した上端筋及び下端筋の間に軽量材から成る埋込体を配置し、ここにコンクリートを打設する工法である。これにより、埋込体が埋設された部分にコンクリート内に中空部が形成され、コンクリートスラブの軽量化を図ると共に遮音性等を向上させることができる。このような技術については、例えば特許文献１の公報に開示されている。
【特許文献１】特開平１１−１０７４３号
【発明の開示】
【発明が解決しようとする課題】
【０００３】
しかし、特許文献１の浮き止め金具を用いたボイドスラブの簡易施工方法では、コンクリートスラブの下面から型枠板を剥がす際に、浮き止め金具の先端部（固定金具止めボルト）がコンクリートスラブの底面に残るという問題を有していた。
【０００４】
本発明は、かかる問題点を解決するために創案されたものである。すなわち、本発明の目的は、フックボルトの上方への突出量を調節し得ることで、上端筋と下型枠との間隔に応じて、その長さを容易に調整することができるフックアンカーを提供することにある。また、フックアンカーの先端部がコンクリートスラブの底面に残ることなく、型枠板を剥がすことができるコンクリートスラブ施工方法を提供することにある。
【課題を解決するための手段】
【０００５】
本発明のフックアンカーによれば、型枠板（２）に並列した埋込体（１０）を用いてコンクリートスラブを施工する際に、上端筋（４ｘ，４ｙ）の上方への移動を阻止し、該上端筋（４ｘ，４ｙ）より上側部分のコンクリート（Ｃ）のかぶり寸法を規制するコンクリートスラブ用フックアンカー（２０）であって、前記上端筋（４ｘ，４ｙ）にかけるために上部がフック状に折り曲げられ、下部に螺溝が形成されたフックボルト（２１）と、
前記フックボルト（２１）を、その上方への突出量を調節自在に連結したターンバックル（２２）と、前記ターンバックル（２２）の貫通孔（２２ｂ）に連結され、円筒部（２３ａ）の上面から上方へ徐々に拡がるようにウェッジ片（２３ｂ）が形成された、前記型枠板（２）の取付孔（２ａ）に挿通させるアンカー部材（２３）と、前記アンカー部材（２３）の円筒部（２３ａ）の下方から挿通し、該アンカー部材（２３）の上端から突出した部分に設けた固定用ナット（２７）に螺合したアンカーボルト（２４）と、から成る、ことを特徴とするコンクリートスラブ用フックアンカーが提供される。
例えば、前記ターンバックル（２２）は、前記フックボルト（２１）の下部が貫通する貫通孔（２２ａ）と、該貫通孔（２２ａ）の下側に上部ナット（２５）が回転不能に取り付けられ、該上部ナット（２５）の下部に貫通孔（２２ｂ）が設けられたものである。
【０００６】
例えば、前記アンカー部材（２３）は、前記円筒部（２３ａ）のウェッジ片（２３ｂ）が容易に拡がるように可撓性を有する合成樹脂材料で成形したものである。
前記アンカー部材（２３）の円筒部（２３ａ）に、ウェッジ片（２３ｂ）を２箇所成形することが好ましい。
【０００７】
本発明の施工方法によれば、コンクリートスラブの底板にあたる型枠板（２）を敷き詰めた上に、下端筋（３ｘ，３ｙ）を縦横に配筋し、各下端筋（３ｘ，３ｙ）のほぼ上方に位置するように各上端筋（４ｘ，４ｙ）をそれぞれ配筋し、次に、上部をフック状に形成したフックボルト（２１）と、下部に切り離し可能に連結したアンカー部材（２３）とから成るフックアンカー（２０）を、そのアンカー部材（２３）を前記型枠板（２）の取付孔（２ａ）に挿通して、該型枠板（２）に対して前記上端筋（４ｘ，４ｙ）の位置決めを行い、前記型枠板（２）上に打設したコンクリート（Ｃ）が固化した後に、前記フックアンカー（２０）のアンカー部材（２３）を切り離すことにより、該型枠板（２）をコンクリートスラブの下面から剥がす、ことを特徴とするフックアンカーを用いたコンクリートスラブ施工方法が提供される。
【０００８】
前記フックアンカー（２０）のアンカー部材（２３）を型枠板（２）の取付孔（２ａ）に挿通させると同時に、前記フックボルト（２１）のフック状の上端部を一方の上端筋（４ｘ，４ｙ）にかけることが好ましい。
前記フックアンカー（２０）のフックボルト（２１）のフック状の上端部を、前記上端筋（４ｘ，４ｙ）に軽く触れる程度にかけることが好ましい。
前記フックアンカー（２０）のフックボルト（２１）のフック状の上端部を、前記上端筋（４ｘ，４ｙ）にやや離間した状態でかけることが好ましい。
【発明の効果】
【０００９】
上述したように、本発明のフックアンカー（２０）では、フックボルト（２１）、ターンバックル（２２）、アンカー部材（２３）とアンカーボルト（２４）とから成るので、このフックボルト（２１）をターンバックル（２２）に対してねじ込み、又はねじ戻すことにより、フックアンカー（２０）の長さを容易に調整することができる。このように予め長さ調整を行ったフックアンカー（２０）を型枠板２に取り付ける。そこで、型枠板（２）上に配筋した上端筋（４ｘ，４ｙ）の高さに応じて、そのフックアンカー（２０）の長さを微妙に調節することができる。
【００１０】
本発明の施工方法では、コンクリート（Ｃ）が固化した後に、フックアンカー（２０）のアンカー部材（２３）のみを切り離すことにより、型枠板（２）をコンクリートスラブの下面から容易に剥がすことができる。従来のように、フックアンカー（２０）の先端部がコンクリートスラブの底面に残るという不具合が無い。
【発明を実施するための最良の形態】
【００１１】
本発明は、型枠板に並列した埋込体を用いてコンクリートスラブを施工する際に、上端筋の上方への移動を阻止し、上端筋より上側の部分のコンクリートのかぶり寸法を規制するフックアンカーである。このフックアンカーを用いたコンクリートスラブ施工方法である。
【実施例１】
【００１２】
以下、本発明の好ましい実施の形態を図面を参照して説明する。
図１は実施例１のフックアンカーを示す拡大側面図である。
本発明の実施例１のフックアンカー２０は、コンクリート内に埋設する軽量材からなる複数の軽量埋込体１０を用いてコンクリートスラブを施工する際に用いる（図５から図８参照）。フックアンカー２０は、上端筋４ｘ，４ｙの上方への移動を阻止し、上端筋４ｘ，４ｙより上側の部分のコンクリートＣのかぶり寸法を規制するものである。フックアンカー２０は、フックボルト２１と、ターンバックル２２と、アンカー部材２３と、アンカーボルト２４とから成る。
【００１３】
フックボルト２１は上端部がフック状に折り曲げられ、下端部に螺溝が形成されている。このフック状に折り曲げられ上端部は、上端筋４ｘ，４ｙにかける部分である。
【００１４】
ターンバックル２２は、その上部中心に貫通孔２２ａが形成され、また、貫通孔２２ａの下側に上部ナット２５が回転不能に取り付けられている。なお、この上部ナット２５はターンバックル２２の側方から抜き差し自在になっており、差し込んだ状態においてターンバックル２２に対して回転不能になっている。
【００１５】
また、ターンバックル２２の下端部にも、上端部と同様に貫通孔２２ｂが形成され、この貫通孔２２ｂの上側に下部ナット２６が回転不能に取り付けられている。なお、この下部ナット２６も上部ナット２５と同様に、ターンバックル２２の側方から抜き差し自在になっており、差し込んだ状態においてターンバックル２２に対して回転不能になっている。
【００１６】
アンカー部材２３は、可撓性を有する合成樹脂材料で一体成形により形成されており、下端の円筒部２３ａと、この円筒部２３ａの上面から上方へ徐々に拡がるように２つのウェッジ片２３ｂが形成されている。
【００１７】
このように構成されたターンバックル２２は、そのうち上部ナット２５から下方の部分には空間２２ｃが設けられており、フックボルト２１をターンバックル２２の貫通孔２２ａに上方から通して上部ナット２５に螺合したときに、そのフックボルト２１のねじ込み量を調整できるようになっている。すなわち、フックアンカー２０のフックボルト２１をターンバックル２２に対してねじ込み、又はねじ戻すことにより、フックボルト２１のターンバックル２２からの上方への突出量を調整することができる。
【００１８】
アンカーボルト２４は、アンカー部材２３をターンバックル２２に取り付けるためのものである。このアンカーボルト２４を、先ずアンカー部材２３の下方から挿通して、アンカー部材２３の上端から突出した部分にアンカー部材２３の固定用ナット２７を螺合する。これにより、アンカーボルト２４にアンカー部材２３が取り付けられている。また、固定用ナット２７から上方へ突出したアンカーボルト２４の上端部分をターンバックル２２の下部の貫通孔２２ｂに挿通し、下部ナット２６に螺合する。下部ナット２６の上方には空間が形成されておらず、したがって、アンカーボルト２４を下部ナット２６にねじ込むことによりターンバックル２２の下部にアンカー部材２３を取り付けることができる。
【実施例２】
【００１９】
図２は実施例２のコンクリートスラブ施工方法における上端筋及び下端筋を配筋した状態を示す側断面図である。図３は実施例２のコンクリートスラブ施工方法においてフックアンカーを取り付けた状態を示す側断面図である。
実施例２のコンクリートスラブ施工方法について、支持筋１７により連設された複数の軽量埋込体１０及びフックアンカー２０を用いてコンクリートスラブを構築する場合について説明する。
先ず、コンクリートスラブの底板にあたる型枠板２を敷き詰めた上に、下端筋３ｘ，３ｙを縦横に配筋する。縦横に配筋した下端筋３ｘ，３ｙは、一方向に伸びるように配筋した下端筋を「一方の下端筋３ｘ」、これと直交する方向に伸びるように配筋した下端筋を「他方の下端筋３ｙ」とし、一方の下端筋３ｘは他方の下端筋３ｙの下側に位置させる。この場合、下端筋３ｘと型枠板２から適宜離間させるため、下端筋用スペーサ（図示は省略する。）が用いられる。
【００２０】
下端筋用スペーサの高さは、コンクリートスラブの厚さのうち、一方の下端筋３ｘより下側の部分のコンクリートＣの厚さ（かぶり）を決定するものであり、通常３０〜４０ｍｍにされる。例えば、コンクリートスラブの厚さが２７５ｍｍの場合、上端筋４ｘ，４ｙと下端筋３ｘ，３ｙはともにφ１３ｍｍの鉄筋が使用され、配筋ピッチ２００ｍｍ（±１ｍｍ）で配筋されている。なお、「±１ｍｍ」は許容誤差を示す。また、この実施例１においては、上端筋４ｘより上側の部分のコンクリートＣの厚さ（かぶり）及び一方（下側）の下端筋３ｘより下側の部分のコンクリートＣの厚さ（かぶり）をそれぞれ３０ｍｍとする。
【００２１】
次に、上端筋４ｘ，４ｙを配筋するために上端筋用スペーサ（図示は省略する。）を配置する。上端筋用スペーサは上端筋４ｘ，４ｙを仮位置に置くためのものである。そして、各上端筋４ｘ，４ｙを各下端筋３ｘ，３ｙのほぼ上方に位置するようにそれぞれ配筋する。縦横に配筋した上端筋４ｘ，４ｙは、一方向に伸びるように配筋した上端筋を「一方の上端筋４ｘ」、これと直交する方向に伸びるように配筋した上端筋を「他方の上端筋４ｙ」とし、一方の上端筋４ｘは他方の上端筋４ｙの上側に載置させる。そして、各上端筋用スペーサの上に上端筋４ｙを載置すると、下端筋３ｘ，３ｙと上端筋４ｘ，４ｙとがそれぞれコンクリートスラブの予定空間内の所定位置に配筋される。
【００２２】
なお、図示は省略したが、縦横に配筋された下端筋３ｘ，３ｙ及び上端筋４ｘ，４ｙはそれぞれの交点において結束する。これにより、縦横に配筋された下端筋３ｘ，３ｙ又は上端筋４ｘ，４ｙは位置ズレを起こさない状態で配筋される。
【００２３】
図４は実施例２のコンクリートスラブ施工方法において、上述したフックアンカーを取り付ける状態を示す側断面図であり、（ａ）は型枠板に形成した取付孔に向けてフックアンカーを取り付ける状態、（ｂ）はアンカー部材の全体を取付孔に差し込む状態、（ｃ）はアンカー部材を取付孔を貫通させ、ウェッジ片が取付孔に引っ掛ける状態である。
上端筋４ｘ，４ｙの位置決めを行うために、フックアンカー２０を型枠板２に取り付ける。先ず、フックアンカー２０を取り付けるための取付孔２ａを型枠板２に形成する（図４（ａ）参照）。取付孔２ａは下端筋３ｘと下端筋３ｙとの交点近傍の型枠板２に形成する（図３、図４（ａ）参照）。取付孔２ａはフックアンカー２０のアンカー部材２３の円筒部２３ａの直径よりやや大きく形成する（図４（ａ）参照）。
【００２４】
このように形成された取付孔２ａに、フックアンカー２０のアンカー部材２３を差し込む。このとき、アンカー部材２３を取付孔２ａに上方から押し込むと、２つのウェッジ片２３ｂが内側に撓んでアンカー部材２３の全体は取付孔２ａを挿通する（図４（ｂ）参照）。そして、アンカー部材２３は取付孔２ａを貫通したところで、そのウェッジ片２３ｂが再び外方に戻って取付孔２ａの周縁に引っかかるようになる（図３、図４（ｃ）参照）。この状態においては、アンカーボルト２４が取付孔２ａ内に位置することとなり、フックアンカー２０が平面方向にやや移動可能となっている。そして、フックアンカー２０が平面方向に多少移動してもウェッジ片２３ｂのいずれか又は双方が型枠板２の取付孔２ａ周縁に引っかかっており、フックアンカー２０が型枠板２の取付孔２ａから抜けることはない（図３、図４（ｃ）参照）。
【００２５】
フックアンカー２０のアンカー部材２３を型枠板２の取付孔２に挿通させるときに、フックボルト２１のフック状の上端部を一方の上端筋４ｘにかかるようにする。フック状上端部の上端筋４ｘの引っかかり方は上端筋４ｘを押さえつける程の引っかかりではなく、軽く触れるか又はやや離間した状態であって良い（図３、図４（ｃ）参照）。これは後述するように、上端筋４ｘはコンクリートＣを打設する際に、軽量埋込体１０の浮力を受けて上昇しようとして、上端筋４ｘがフックアンカー２０のフックボルト２１のフック状最上部に接触し、その上下方向の位置が規制されるためである。これにより、上端筋４ｘの上下方向の位置がコンクリートスラブの下面（型枠板２）からの位置が精度良く決まることになり、予定したコンクリートスラブの厚さを精度良くし、必然的に上端筋４ｘから上側のコンクリートＣの厚さ、すなわち、かぶり寸法も精度良く決まることになる。
【００２６】
図５は複数の軽量埋込体をコンクリートスラブ予定空間に配置する直前の状態を示す側断面図である。図６は複数の軽量埋込体をコンクリートスラブ予定空間に配置した状態を示す側断面図である。
先ず、支持筋１７により支持された軽量埋込体１０の連結体を所定の位置に配置する。縦横に配筋された上端筋４ｘ，４ｙのうち、上側の２本の上端筋４ｘとの間の上方にこれらと平行になるように支持筋１７を位置させた後（図５参照）、全体を下降させ、縦横に配筋された上端筋４ｘ，４ｙの格子状の中に軽量埋込体１０を挿入する。支持筋１７を上端筋４ｘ，４ｙのうち、下側の上端筋４ｙに掛け渡すように載置させて、上端筋４ｘ，４ｙの格子状の中の所定に位置に各軽量埋込体１０が配置される（図６参照）。なお、図５から図８は、図中、紙面の左右方向に伸びる向きが一方（上側）の上端筋４ｘが伸びる向きと一致しており、上記した図２、図３、図４とは、その見る方向が９０度異なるように表している。
【００２７】
次に、他方の上端筋４ｙ上に載置された支持筋１７は、他方の上端筋４ｙと適宜な箇所において結束する。このようにして、縦横に配筋された上端筋４ｘ，４ｙの格子状の空間内に各別に軽量埋込体１０を配置する。
【００２８】
図７はコンクリートを打設している状態を示す側断面図である。
次に、コンクリートＣを打設すると、軽量埋込体１０は浮力により浮き上がろうとして、上端筋４ｘ，４ｙを上昇させようとするが、上述のように、上端筋４ｘ，４ｙはフックアンカー２０のフックボルト２１のフック状最上部に引っかかり、その移動が阻止されて上端筋４ｘ，４ｙ及び軽量埋込体１０の上下方向の位置決めがなされる。
【００２９】
そして、コンクリートＣの打設が終了すると、コンクリートスラブ内における下端筋３ｘ，３ｙと上端筋４ｘ，４ｙとの上下方向における位置関係は、型枠板２を基準に規制されているため、精度良く決まる。すなわち、一方（下側）の下端筋３ｘは型枠板２上に置かれた図示しない下端筋用スペーサに載置されているため、下端筋用スペーサの寸法精度により、下側のかぶり寸法が決定される。また、上側の上端筋４ｘが上記フックアンカー２０により位置決めがなされ、かつ、フックアンカー２０は型枠板２に取り付けられているため、フックアンカー２０の長さにより上側のかぶり寸法が決定されることになる。フックアンカー２０の長さは上述の通り、フックボルト２１をターンバックル２２に対してねじ込み、又はねじ戻すことにより容易に調整することができるため、あらかじめ長さ調整を行った上で型枠板２に取り付ける。
【００３０】
図８は型枠板を取り外すために、フックアンカーからアンカーボルト、アンカー部材と固定用ナットを外す状態を示す側断面図である。
最後に、型枠板２の取り外し（脱型枠）を行う。型枠板２を取り外すには、フックアンカー２０のアンカーボルト２４及びアンカー部材２３を取り外すことにより行う。具体的には、フックアンカー２０のアンカーボルト２４を緩めてターンバックル２２から外す。これにより、フックアンカー２０のうち、アンカーボルト２４、アンカー部材２３、固定用ナット２７を型枠板２から離脱する。また、アンカーボルト２４、アンカー部材２３、固定用ナット２７が外された型枠板２はコンクリートスラブの下面から容易に剥がすことができ、脱型枠が終了する。
【００３１】
なお、本発明は上述した発明の実施の形態に限定されず、フックボルト２１の上方への突出量を調節し得ることで、上端筋４ｘ，４ｙと下型枠２との間隔に応じて、その長さを容易に調整することができる構成であれば、図示したような構成に限定されず、本発明の要旨を逸脱しない範囲で種々変更できる。
また、フックアンカー２０の先端部がコンクリートスラブの底面に残ることなく、型枠板２を剥がすことができる方法であれば、図示したような方法に限定されず、本発明の要旨を逸脱しない範囲で種々変更できることは勿論である。
【産業上の利用可能性】
【００３２】
本発明のフックアンカー及びこれを用いたコンクリートスラブ施工方法は、上端筋の上方への移動を阻止し、この上端筋より上側部分のコンクリートのかぶり寸法を規制するために、この上端筋の浮き上がり阻止だけでなく、下端筋の沈降を阻止するような様々な用途に利用することができる。
【図面の簡単な説明】
【００３３】
【図１】本発明の実施例１のフックアンカーを示す拡大側面図である。
【図２】実施例２のコンクリートスラブ施工方法における上端筋及び下端筋を配筋した状態を示す側断面図である。
【図３】実施例２のコンクリートスラブ施工方法においてフックアンカーを取り付けた状態を示す側断面図である。
【図４】実施例２のコンクリートスラブ施工方法において、フックアンカーを取り付ける状態を示す側断面図であり、（ａ）は型枠板に形成した取付孔に向けてフックアンカーを取り付ける状態、（ｂ）はアンカー部材の全体を取付孔に差し込む状態、（ｃ）はアンカー部材を取付孔を貫通させ、ウェッジ片が取付孔に引っ掛ける状態である。
【図５】複数の軽量埋込体をコンクリートスラブ予定空間に配置する直前の状態を示す側断面図である。
【図６】複数の軽量埋込体をコンクリートスラブ予定空間に配置した状態を示す側断面図である。
【図７】コンクリートを打設している状態を示す側断面図である。
【図８】型枠板を取り外すために、フックアンカーからアンカーボルト、アンカー部材と固定用ナットを外す状態を示す側断面図である。
【符号の説明】
【００３４】
２  型枠板
２ａ  型枠板の取付孔
３ｘ  下端筋（下側）
３ｙ  下端筋（上側）
４ｘ  上端筋（上側）
４ｙ  上端筋（下側）
１０  埋込体（軽量埋込体）
２０  フックアンカー
２１  フックボルト
２２  ターンバックル
２２ｂ  ターンバックルの貫通孔
２３  アンカー部材
２３ａ  アンカー部材の円筒部
２３ｂ  アンカー部材のウェッジ片
２４  アンカーボルト
２７  固定用ナット
Ｃ  コンクリート
【図１】
2006348746.tif 000003
【図２】
2006348746.tif 000004
【図３】
2006348746.tif 000005
【図４】
2006348746.tif 000006
【図５】
2006348746.tif 000007
【図６】
2006348746.tif 000008
【図７】
2006348746.tif 000009
【図８】
2006348746.tif 000010